(57)【特許請求の範囲】
【請求項１】
複数のグラフを生成するための検査データを取得する検査データ取得部と、
該検査データ取得部によって取得された複数の検査データの中から基準検査データを特定する基準検査データ特定部と、
前記複数の検査データのうちの前記基準検査データ以外の少なくとも２つの非基準検査データの前記基準検査データに対する変動の類似度を算出する類似度算出部と、
前記基準検査データに基づく基準グラフと前記少なくとも２つの非基準検査データに基づく非基準グラフとを同一の座標軸上に表示させる表示制御部とを備え、
該表示制御部が、前記類似度に応じて前記少なくとも２つの非基準グラフを異なる視認性で表示させるものであることを特徴とするグラフ表示制御装置。
【請求項２】
前記表示制御部が、前記類似度が高いほど視認性が高くなるように前記非基準グラフを表示させるものであることを特徴とする請求項１記載のグラフ表示制御装置。
【請求項３】
前記表示制御部が、前記類似度が低いほど視認性が高くなるように前記非基準グラフを表示させるものであることを特徴とする請求項１記載のグラフ表示制御装置。
【請求項４】
前記類似度が高いほど視認性が高くなるように前記非基準グラフを表示させる高類似度優先表示モードと、前記類似度が低いほど視認性が高くなるように前記非基準グラフを表示させる低類似度優先表示モードとを切り替えて設定する表示モード設定部を備え、
前記表示制御部が、前記表示モード設定部において設定された前記高類似度優先表示モードまたは前記低類似度優先モードで前記非基準グラフを表示させるものであることを特徴とする請求項１記載のグラフ表示制御装置。
【請求項５】
前記検査データ取得部が、疾患と検査項目群とを対応付けた表示セットデータ構造に基づいて、予め保存された複数の検査データの中から前記表示セットデータ構造の各検査項目の検査データを検索して取得するものであることを特徴とする請求項１から４いずれか１項記載のグラフ表示制御装置。
【請求項６】
前記検査データ取得部が、予め保存された複数の検査データの中から所望の検索条件に基づいて検索した検査データを取得するものであることを特徴とする請求項１から５いずれか１項記載のグラフ表示制御装置。
【請求項７】
前記表示制御部が、前記類似度に応じて前記少なくとも２つの非基準グラフの色、濃度または線種を変えることによって、前記少なくとも２つの非基準グラフを異なる視認性で表示させるものであることを特徴とする請求項１から６いずれか１項記載のグラフ表示制御装置。
【請求項８】
前記検査データ取得部が、電子カルテに紐付けされた前記複数の検査データを取得するものであることを特徴とする請求項１から７いずれか１項記載のグラフ表示制御装置。
【請求項９】
前記表示制御部が、前記電子カルテの内容を表示させるものであることを特徴とする請求項８記載のグラフ表示制御装置。
【請求項１０】
複数のグラフを生成するための検査データを取得し、
該取得した複数の検査データの中から基準検査データを特定し、
前記複数の検査データのうちの前記基準検査データ以外の少なくとも２つの非基準検査データの前記基準検査データに対する変動の類似度を算出し、
前記基準検査データに基づく基準グラフと前記少なくとも２つの非基準検査データに基づく非基準グラフとを同一の座標軸上に表示させる際、前記類似度に応じて前記少なくとも２つの非基準グラフを異なる視認性で表示させることを特徴とするグラフ表示制御方法。
【請求項１１】
コンピュータに、
複数のグラフを生成するための検査データを取得する取得手順と、
該取得した複数の検査データの中から基準検査データを特定する特定手順と、
前記複数の検査データのうちの前記基準検査データ以外の少なくとも２つの非基準検査データの前記基準検査データに対する変動の類似度を算出する算出手順と、
前記基準検査データに基づく基準グラフと前記少なくとも２つの非基準検査データに基づく非基準グラフとを同一の座標軸上に表示させる表示手順とを実行させるグラフ表示制御プログラムにであって、
前記表示手順において、前記類似度に応じて前記少なくとも２つの非基準グラフを異なる視認性で表示させることを特徴とするグラフ表示制御プログラム。
【発明の詳細な説明】
【技術分野】
【０００１】
本発明は、複数の検査データに基づいて複数のグラフを表示するグラフ表示制御装置および方法並びにプログラムに関するものである。
【背景技術】
【０００２】
近年、医療分野においては、診察が行われる際に患者に対して実施された複数の検査結果が表示され、病名の診断や治療方針などを決定するための参考情報として利用されている。
【０００３】
患者に実施される検査には様々な種類があり、実際の医療現場では、患者に特定の疾患が疑われるときには、その特定の疾患の診断に重要と考えられている複数の検査の各検査結果を参照して、診断または治療を行っている。
【０００４】
しかしながら、患者に対して実施される検査項目が多数に亘る場合があり、特に、患者が複数の疾患を患っている場合には、さらに検査項目が増えることになる。したがって、その多数の検査項目の検査結果を同一の座標軸上にグラフとして全て重ねて表示するようにしたのでは、グラフ同士が重なりあってしまって非常に見難いものとなってしまう。
【０００５】
そこで、たとえば特許文献１においては、重要検査項目のグラフは変動幅を大きくして表示させ、重要でない検査項目のグラフは変動幅を小さくして表示させることによって、見易くする方法が提案されている。
【０００６】
また、特許文献２においては、類似した推移を示す複数の折れ線グラフを１つの折れ線グラフに収束させ、表示するグラフの数を減らす方法が提案されている。
【先行技術文献】
【特許文献】
【０００７】
【特許文献１】特開２００４−２２７０４１号公報
【特許文献２】特開２００１−３３７０９０号公報
【発明の概要】
【発明が解決しようとする課題】
【０００８】
しかしながら、特許文献１の方法においては、重要検査項目であるか否かはユーザが判断するものであるため、たとえばユーザが重要ではないと判断した検査項目の検査結果が、ユーザが予測していなかった結果である場合にはこれに気付くことができない。
【０００９】
また、特許文献２の方法では、複数のグラフを１つのグラフに収束してしまうため、類似した傾向を示すグラフ同士の比較ができなくなってしまう。
【００１０】
本発明は、上記事情に鑑み、多数のグラフを同一の座標軸上に重ねて表示する際、見易い表示にすることができるとともに、ユーザが予測していなかった検査結果の傾向にも気付くことができるグラフ表示制御装置および方法並びにプログラムを提供することを目的とするものである。
【課題を解決するための手段】
【００１１】
本発明のグラフ表示制御装置は、複数のグラフを生成するための検査データを取得する検査データ取得部と、検査データ取得部によって取得された複数の検査データの中から基準検査データを特定する基準検査データ特定部と、複数の検査データのうちの基準検査データ以外の少なくとも２つの非基準検査データの基準検査データに対する変動の類似度を算出する類似度算出部と、基準検査データに基づく基準グラフと少なくとも２つの非基準検査データに基づく非基準グラフとを同一の座標軸上に表示させる表示制御部とを備え、表示制御部が、類似度に応じて少なくとも２つの非基準グラフを異なる視認性で表示させるものであることを特徴とする。
【００１２】
また、上記本発明のグラフ表示制御装置は、表示制御部を、類似度が高いほど視認性が高くなるように非基準グラフを表示させるものとできる。
【００１３】
また、表示制御部を、類似度が低いほど視認性が高くなるように非基準グラフを表示させるものとできる。
【００１４】
また、類似度が高いほど視認性が高くなるように非基準グラフを表示させる高類似度優先表示モードと、類似度が低いほど視認性が高くなるように非基準グラフを表示させる低類似度優先表示モードとを切り替えて設定する表示モード設定部を設け、表示制御部を、表示モード設定部において設定された高類似度優先表示モードまたは低類似度優先モードで非基準グラフを表示させるものとできる。
【００１５】
また、検査データ取得部を、疾患と検査項目群とを対応付けた表示セットデータ構造表示セットデータ構造に基づいて、予め保存された複数の検査データの中から表示セットデータ構造の各検査項目の検査データを検索して取得するものとできる。
【００１６】
また、検査データ取得部を、予め保存された複数の検査データの中から所望の検索条件に基づいて検索した検査データを取得するものとできる。
【００１７】
また、表示制御部を、類似度に応じて少なくとも２つの非基準グラフの色、濃度または線種を変えることによって、少なくとも２つの非基準グラフを異なる視認性で表示させるものとできる。
【００１８】
また、検査データ取得部を、電子カルテに紐付けされた複数の検査データを取得するものとできる。
【００１９】
また、表示制御部を、電子カルテの内容を表示させるものとできる。
【００２０】
本発明のグラフ表示制御方法は、複数のグラフを生成するための検査データを取得し、その取得した複数の検査データの中から基準検査データを特定し、複数の検査データのうちの基準検査データ以外の少なくとも２つの非基準検査データの基準検査データに対する変動の類似度を算出し、基準グラフと少なくとも２つの非基準グラフとを同一の座標軸上に表示させる際、類似度に応じて少なくとも２つの非基準グラフを異なる視認性で表示させることを特徴とする。
【００２１】
本発明のグラフ表示制御プログラムは、コンピュータに、複数のグラフを生成するための検査データを取得する取得手順と、その取得した複数の検査データの中から基準検査データを特定する特定手順と、複数の検査データのうちの基準検査データ以外の少なくとも２つの非基準検査データの基準検査データに対する変動の類似度を算出する算出手順と、基準グラフと少なくとも２つの非基準グラフとを同一の座標軸上に表示させる表示手順とを実行させるグラフ表示制御プログラムにであって、表示手順において、類似度に応じて少なくとも２つの非基準グラフを異なる視認性で表示させることを特徴とする。
【発明の効果】
【００２２】
本発明のグラフ表示制御装置および方法並びにプログラムによれば、複数のグラフを生成するための検査データを取得し、その取得した複数の検査データの中から基準検査データを特定し、複数の検査データのうちの基準検査データ以外の少なくとも２つの非基準検査データの基準検査データに対する変動の類似度を算出し、基準グラフと少なくとも２つの非基準グラフとを同一の座標軸上に表示させる際、類似度に応じて少なくとも２つの非基準グラフを異なる視認性で表示させるようにしたので、たとえば、基準グラフに類似してない非基準グラフの視認性を低くしたり、基準グラフに類似している非基準グラフの視認性を低くしたりすることができるので、一部の非基準グラフの視認性を低くすることによってユーザが見易い表示にすることができる。
【００２３】
また、基準グラフに類似している非基準グラフの視認性を高くすることによって同じような傾向のグラフを比較して診断を行うことができる。また、基準グラフに類似していない非基準グラフの視認性を高くすることによって、ユーザが予測していなかった検査結果の傾向にも気付くことができ、たとえば合併症の発見などにつなげることができる。
【００２４】
また、類似度が高いほど視認性が高くなるように非基準グラフを表示させる高類似度優先表示モードと、類似度が低いほど視認性が高くなるように非基準グラフを表示させる低類似度優先表示モードとを切り替え可能にした場合には、ユーザにニーズに合わせて適切な表示を行うことができる。
【００２５】
また、疾患と検査項目群とを対応付けた表示セットデータ構造を予め設定しておき、疾患を特定することによってその表示セットデータ構造の各検査項目の検査データをグラフとして表示するようにした場合には、表示対象のグラフの数を限定することができるので、より見易い表示とすることができる。
【図面の簡単な説明】
【００２６】
【図１】本発明のグラフ表示制御装置の一実施形態を用いた電子カルテ表示システムの概略構成を示すブロック図
【図２】疾患Ａと検査項目群とを紐付けした表示セットデータ構造の一例を示す図
【図３】疾患Ｂと検査項目群とを紐付けした表示セットデータ構造の一例を示す図
【図４】基準検査データに対する非基準検査データの類似度を算出する方法を説明するための図
【図５】図１に示す電子カルテ表示システムによって表示されるウインドウ画面の一例を示す図
【図６】電子カルテテーブルの一例を示す図
【図７】検査データテーブルの一例を示す図
【図８】患者テーブルの一例を示す図
【図９】図１に示す電子カルテ表示システムにおいて検査データのグラフを表示させる作用を説明するためのフローチャート
【図１０】図１に示す電子カルテ表示システムによって表示されるグラフの一例を示す図
【図１１】図１に示す電子カルテ表示システムによって表示されるグラフのその他の例を示す図
【図１２】図１に示す電子カルテ表示システムによって表示されるグラフのその他の例を示す図
【図１３】図１に示す電子カルテ表示システムによって表示されるグラフのその他の例を示す図
【発明を実施するための形態】
【００２７】
以下、本発明のグラフ表示制御装置および方法並びにプログラムの一実施形態を用いた電子カルテ表示システムについて、図面を参照しながら詳細に説明する。図１は、本実施形態の電子カルテ表示システムの概略構成を示すブロック図である。
【００２８】
本実施形態の電子カルテ表示システムは、図１に示すように、グラフ表示制御装置１と、電子カルテデータベース２と、電子カルテデータ入力装置３と、入力装置４と、モニタ５とを備えている。
【００２９】
まず、グラフ表示制御装置１について説明する。グラフ表示制御装置１は、図１に示すように、検査データ取得部１０と、基準検査データ特定部１１と、類似度算出部１２と、グラフ作成部１３と、グラフ表示領域設定部１４と、表示制御部１５と、表示モード設定部１６とを備えている。
【００３０】
グラフ表示制御装置１は、コンピュータに本発明のグラフ表示制御プログラムの一実施形態をインストールしたものである。そして、中央処理装置（ＣＰＵ）によって上記グラフ表示制御プログラムが実行されることによって上述した検査データ取得部１０と、基準検査データ特定部１１と、類似度算出部１２と、グラフ作成部１３と、グラフ表示領域設定部１４と、表示制御部１５と、表示モード設定部１６とが機能し、検査データ取得部１０によって電子カルテデータベース２が検索されて、所望の電子カルテや検査データが取得される。上記グラフ表示制御プログラムは、ＣＤ−ＲＯＭなどの記録媒体に記録されたものでもよいし、インターネットを経由してサーバなどからダウンロードしたものでもよい。
【００３１】
検査データ取得部１０は、モニタ５に表示させる複数のグラフを作成するための検査データを取得するものである。検査データは、電子カルテデータベース２に電子カルテと関連付けられて保存されるものである。電子カルテデータベース２に保存される検査データについては、後で詳述する。
【００３２】
そして、検査データ取得部１０は、電子カルテデータベース２に保存された多数の検査データの中から、モニタ５に表示させる検査データを検索して取得するものである。
【００３３】
具体的には、本実施形態の検査データ取得部１０には、たとえば、所定の疾患とその疾患の診断に必要な複数の検査項目からなる検査項目群とが対応付けられた表示セットデータ構造が予め複数設定されている。図２は、疾患Ａと検査項目群ｓ〜ｗとが対応付けられた表示セットデータ構造を示すものであり、図３は、疾患Ｂと検査項目群ｕ〜ｚとが対応付けられた表示セットデータ構造を示すものである。疾患毎の表示セットデータ構造の検査項目群は基本的には互いに異なるものであるが、共通の検査項目が存在する場合もある。図２および図３に示す表示セットデータ構造では、検査項目ｕ〜ｗが共通の検査項目となっている。
【００３４】
そして、検査データ取得部１０は、入力装置４を用いてユーザによって入力された所定の疾患の情報を取得し、その取得した疾患の表示セットデータ構造を参照して、各検査項目の検査データを電子カルテデータベース２の検査データテーブル２１から検索して取得するものである。
【００３５】
また、本実施形態の検査データ取得部１０は、所定の検査データの検索条件を取得し、その検索条件に基づいて電子カルテデータベース２の検査データテーブル２１を検索し、検索条件を満たす検査データを取得するものである。検索条件としては、種々のものがあるが、その例は後で詳述する。
【００３６】
基準検査データ特定部１１は、検査データ取得部１０によって取得された複数の検査データの中から基準検査データを特定するものである。基準検査データを特定する方法としては、ユーザが入力装置４を用いて複数の検査データの中から１つの検査データを指定することによって基準検査データを特定するようにしてもよいし、また、上述した疾患毎の表示セットデータ構造において予め１つの検査項目を基準検査データの項目として設定しておくようにしてもよい。また、複数の検査データの値を確認し、検査データの中に異常値が含まれるものを基準検査データとして特定するようにしてもよい。
【００３７】
類似度算出部１２は、検査データ取得部１０によって取得された複数の検査データのうちの基準検査データ以外の少なくとも２つの非基準検査データの基準検査データに対する変動の類似度を算出するものである。本実施形態における類似度算出部１２は、基準検査データの主軸（横軸）に設定される数値に対する副軸（縦軸）の数値の変動と、非基準検査データの主軸（横軸）に設定される数値に対する副軸（縦軸）の数値の変動との相関係数を類似度として算出するものである。
【００３８】
より具体的には、類似度算出部１２は、基準検査データと非基準検査データの主軸を、図４に示すように、特定の区間Ｔｉ（図４に示す例では区間Ｔ１〜Ｔ３）で区切る。この区間Ｔｉは、たとえば主軸が時間軸である場合には、１週間、１日または１時間などに設定される。なお、主軸が時間軸でない場合には、その主軸が表す内容に応じた単位で区間Ｔｉが設定されるものとする。また、主軸全体の時間などが基準検査データと非基準検査データとで異なる場合には、非基準検査データの主軸が基準検査データの主軸と一致するように主軸方向について正規化処理が行われる。
【００３９】
そして、区間Ｔｉの中の基準検査データと非基準検査データの変動の類似度を算出する。このとき、主軸で定められた数値に対する副軸の数値の変動が算出される。具体的には、下式を算出することによって各非基準検査データの基準検査データに対する相関係数Correlationを算出する。
【００４０】
任意の区間Tiにおける基準検査データの各数値の群 mj∈Mi、１つの非基準検査データの各数値の群 nj ∈Ni、jは横軸の単位メモリとすると、
相関係数Correlation = Σ(mj-E(m))(nj-E(n))/√｛Σ(mj-E(m))2｝√{Σ(nj-E(n))2}
ただし、E(m)はmjの平均、E(n)はnjの平均である。
【００４１】
ここで、上述したように類似度を算出する場合や、後で述べるように基準検査データに基づく基準グラフや複数の非基準検査データに基づく非基準グラフを同一の座標軸上に表示させる場合、各検査データの単位は各々の検査項目よって異なる。そこで、副軸（縦軸）の表示幅を正規化してもよい。たとえば、正規化の方法として、各検査データの最大値と最小値の差を１．０の表示幅として正規化する方法がある。
【００４２】
具体的には、検査データ値j∈Miの最大値をm_max、最小値をm_minとし、正規化後の検査データ値をnorm_mjとした場合、以下の式で正規化を行う。
norm_mj = 1.0 / ( m_max - m_min ) × mj
【００４３】
なお、本実施形態においては、各非基準検査データの基準検査データに対する類似度として相関係数を算出するようにしたが、これに限らず、その他の値を算出するようにしてもよい。たとえば、共分散を算出するようにしてもよいし、一次微分を用いて検査値の増減を求めることで類似度としてもよい。
【００４４】
また、上述したように類似度を算出する際、基準検査データおよび非基準検査データの値を直接用いるようにしてもよいが、これに限らず、たとえば、基準検査データおよび非基準検査データの医学的な傾向を揃えた上で類似度を算出するようにしてもよい。
【００４５】
具体的には、たとえば、基準検査データが、その値が大きくなるほど医学的に悪化傾向と判断できるものであり、一方、非基準検査データが、その値が小さくなるほど医学的に悪化傾向と判断できるものである場合には、たとえば基準検査データの各値と非基準検査データの各値を所定の基準値からの差分に変換し、その差分値からなる基準検査データと非基準検査データとの類似度を算出するようにしてもよい。
【００４６】
なお、上記説明では、任意の区間Tiについて類似度を算出するようにしたが、基準検査データと非基準検査データの主軸全体の範囲の数値を用いて類似度を算出するようにしてもよい。
【００４７】
グラフ作成部１３は、基準検査データに基づく基準グラフと、複数の非基準検査データに基づく非基準グラフとを同一の座標軸上にプロットするものである。このとき同一の座標軸上にプロットされる非基準検査グラフの数には制限があり、その上限数は、後述するグラフ表示領域設定部１４において予め設定されている。
【００４８】
したがって、グラフ作成部１３は、グラフ表示領域設定部１４に設定されている上限数の範囲内で非基準グラフをプロットするが、このときグラフ表示領域設定部１４に設定されている上限数よりも全ての非基準グラフの数が多い場合には、グラフ作成部１３は、類似度が高いものから優先的に非基準グラフを選択するか、もしくは類似度が低いものから優先的に非基準グラフを選択する。類似度が高いものを優先するか、類似度が低いものから優先するかは、後述する表示モード設定部１６に設定されている表示モードが、高類似度優先表示モードか、もしくは低類似度優先表示モードかによって決定される。すなわち、表示モード設定部１６に設定されている表示モードが高類似度優先表示モードである場合には、類似度が高い非基準グラフが優先的に選択され、低類似度優先表示モードである場合には、類似度が低い非基準グラフが優先的に選択されることになる。なお、高類似度優先表示モードおよび低類似度優先表示モードについては、後で詳述する。
【００４９】
また、グラフ作成部１３は、同一座標軸上にプロットする複数の非基準グラフについては、その類似度に応じて互いに異なる視認性のグラフとする。具体的には、たとえば、表示モード設定部１６に設定されている表示モードが高類似度優先表示モードである場合には、類似度が高い非基準グラフほど視認性が高くなるようなグラフし、低類似度優先表示モードである場合には、類似度が低い非基準グラフほど視認性が高くなるようなグラフとする。
【００５０】
視認性が高いグラフとは、ユーザが観察した際に、より認識し易い、すなわち、より強調された表示態様で表示されたグラフである。たとえば、非基準グラフをモノクロ表示する場合には、視認性が高いほど濃度が高いグラフとし、視認性が低くなるほど濃度が低いグレーのグラフとすればよい。
【００５１】
また、非基準グラフをカラー表示する場合には、視認性が高いほど背景色とのコントラストが高い色のグラフとし、視認性が低くなるほど背景色とのコントラストが低い色のグラフとすればよい。また、視認性が高いほど彩度の高い色のグラフとし、視認性が低くなるほど彩度が低い色のグラフとしてもよい。
【００５２】
また、非基準グラフを線で表示する場合には、視認性が高いほど太い線のグラフとし、視認性が低くなるほど細い線のグラフとすればよい。また、視認性を高くすべき非基準グラフを実線のグラフとし、視認性を低くすべき非基準グラフを点線のグラフとしてもよい。
【００５３】
なお、基準グラフについては、最も強調された視認性が高いグラフとすることが望ましい。
【００５４】
また、グラフ作成部１３によって作成されるグラフの位置、高さ、横幅などはユーザが入力装置４を用いて任意に設定することができる。また、グラフの線分の色や線種、軸に付される数値や文字などの色やフォントや大きさもユーザによって任意に変更することができる。また、グラフや軸や背景の色などもユーザによって任意に変更することができる。
【００５５】
グラフ表示領域設定部１４は、モニタ５に表示されたウインドウ画面上におけるグラフ表示領域が設定されたものである。具体的には、図５に示すようなグラフ表示領域Ｒが設定されるものであり、図５の例においては４つのグラフリスト表示領域Ｒ１〜Ｒ４が設定されている。各グラフリスト表示領域Ｒ１〜Ｒ４に対して、それぞれ表示対象のグラフＧ１〜Ｇ４が割り当てられる。
【００５６】
グラフ表示領域Ｒおよびグラフリスト表示領域Ｒ１〜Ｒ４の位置、幅および高さなどはユーザによって入力装置４を用いて適宜設定されるものである。また、グラフリスト表示領域の数については、予め設定された数としてもよいし、ウインドウ画面の大きさに応じてグラフリスト表示領域の数を変化させるようにしてもよい。すなわち、ユーザ操作によってウインドウ画面が大きくなった場合にはグラフリスト表示領域の数を増やし、ウインドウ画面が小さくなった場合にはグラフリスト領域を減らすようにしてもよい。
【００５７】
また、グラフ表示領域設定部１４には、１つのグラフリスト表示領域に表示されるグラフの上限数も設定されている。グラフ作成部１３は、上述したように、このグラフ表示領域設定部１４に設定された上限数以下の数の非基準グラフを同一の座標軸上にプロットするものである。グラフ作成部１３において同一の座標軸上にプロットされた基準グラフおよび非基準グラフは、複数のグラフリスト表示領域の中のいずれか１つのグラフリスト表示領域に割り当てられて表示される。なお、上述した上限数もユーザによって任意に変更することが可能である。
【００５８】
なお、必ずしも図５に示すように複数のグラフリスト表示領域を設定する必要はなく、１つのグラフ表示領域のみを設定し、その１つのグラフ表示領域内に、グラフ作成部１３において同一の座標軸上にプロットされた基準グラフおよび非基準グラフを表示するようにしてもよい。
【００５９】
また、基準グラフおよび非基準グラフが表示されるグラフリスト表示領域またはグラフ表示領域のユーザ操作による大きさの変更に応じて、表示される非基準グラフの数を変更するようにしてもよい。すなわち、グラフリスト表示領域またはグラフ表示領域がユーザ操作により大きくなった場合には、表示される非基準グラフの数を増やし、ユーザ操作により小さくなった場合には、表示される非基準グラフの数を減らすようにしてもよい。
【００６０】
表示制御部１５は、図５に示すように、モニタ５にウインドウ画面を表示させるとともに、そのウインドウ画面内のグラフ表示領域Ｒにおける各グラフリスト表示領域Ｒ１〜Ｒ４内にそれぞれ割り当てられたグラフＧ１〜Ｇ４を表示させるものである。そして、表示制御部１５は、上述したようにグラフリスト表示領域Ｒ１〜Ｒ４のいずれか１つに、グラフ作成部１３で同一座標軸上にプロットされた基準グラフおよび非基準グラフを表示するものである。なお、たとえばグラフリスト表示領域Ｒ１内に、同一座標軸上にプロットされた基準グラフおよび非基準グラフを表示する場合には、その他のグラフリスト表示領域Ｒ２〜Ｒ４内に、グラフ作成部１３において選択されなかった優先順位の低い非基準グラフを表示させるようにしてもよい。
【００６１】
また、表示制御部１５は、図５に示すように、ウインドウ画面内に、クエリー入力部ＱＩと、疾患名切替部ＳＩを表示させるものである。クエリ―入力部ＱＩは、上述した検査データ取得部１０が電子カルテデータベース２の検査データテーブル２１から検査データを読み出す際の検索条件の入力を受け付けるものである。また、疾患名切替部ＳＩは、上述した表示セットデータ構造の疾患名の切り替え入力を受け付けるものである。検査データ取得部１０は、クエリ―入力部ＱＩに入力された検索条件や、疾患名切替部ＳＩに入力される疾患名に基づいて検査データを取得するものである。
【００６２】
また、表示制御部１５は、検査データのグラフだけでなく、電子カルテＩＤによって特定された電子カルテの内容や患者テーブルの内容もモニタ５に表示するものである。
【００６３】
表示モード設定部１６は、上述した高類似度優先表示モードまたは低類似度優先表示モードが切り替えて設定されるものである。表示モードの切り替えは、ユーザによって入力装置４を用いて行われる。
【００６４】
次に、電子カルテデータベース２について説明する。電子カルテデータベース２は、図１に示すように、電子カルテテーブル２０と、検査データテーブル２１と、患者テーブル２２とを備えている。
【００６５】
電子カルテテーブル２０は、電子カルテＩＤによって識別される多数の電子カルテが保存されたものである。各電子カルテには、図６に示すように、患者ＩＤ、患者が受診した日、受診した際の疾患名、患者の入院履歴などの受診履歴が記憶されている。
【００６６】
検査データテーブル２１は、各電子カルテＩＤに紐付けされた種々の検査データを記憶するものである。この電子カルテＩＤに紐付けされた検査データは、その電子カルテＩＤによって識別される電子カルテに書きこまれた患者が、その受診の際に受けた検査によって取得された全ての検査データが紐付けされて記憶されている。図７には、電子カルテＩＤ「００２」、患者ＩＤ「００１」および疾患名「疾患Ｂ」に紐付けされた全ての検査データが示されている。図７に示される検査データは、患者ＩＤ「００１」によって識別される患者が、疾患Ｂを患って受診した際に受けた検査項目ｓ〜ｚの検査データである。
【００６７】
患者テーブル２２は、図８に示すような各患者に関する情報が対応付けて記憶されたテーブルが記憶されたものである。
【００６８】
そして、電子カルテテーブル２０に記憶されている各電子カルテと、検査データテーブル２１に記憶されている検査データと、患者テーブル２２に記憶されている各患者の患者テーブルとは、電子カルテＩＤおよび患者ＩＤによって紐付けされて管理されており、電子カルテＩＤや患者ＩＤを指定することによって、その患者ＩＤの患者に関する受診情報や検査データを任意に取得することができる。
【００６９】
電子カルテデータベース２には、電子カルテデータ入力装置３が接続されており、この電子カルテデータ入力装置３において、電子カルテや患者テーブルに記載される内容が入力されたり、検査データが入力されたりする。
【００７０】
次に、本実施形態の電子カルテ表示システムにおいて検査データのグラフを表示させる作用について、図９に示すフローチャートを参照しながら説明する。
【００７１】
まず、入力装置４において検査データを表示したい電子カルテＩＤが入力され、その電子カルテＩＤは、検査データ取得部１０によって取得される（Ｓ１０）。そして、検査データ取得部１０は、入力された電子カルテＩＤに基づいて、電子カルテデータベース２の電子カルテテーブル２０を参照し、その電子カルテＩＤに紐付けされた疾患名を取得し、その疾患名に基づいて、予め設定された表示セットデータ構造を参照し、その表示セットデータ構造において疾患に紐付けされた検査項目群を取得する（Ｓ１２）。なお、ここでは電子カルテＩＤに紐付けされた疾患名が「疾患Ｂ」であり、検査データ取得部１０は、図３に示す表示セットデータ構造において「疾患Ｂ」に紐付けされた検査項目u〜ｚを取得するものとする。
【００７２】
次いで、検査データ取得部１０は、電子カルテデータベース２の検査データテーブル２１を参照し、入力された電子カルテＩＤに記録されている複数の検査項目ｓ〜ｚの検査データのうち、表示セットデータ構造において疾患Ｂに紐付けされた検査項目u〜ｚの検査データを検査データテーブル２１から検索して取得する（Ｓ１４）。
【００７３】
次に、基準検査データ特定部１１によって、検査データ取得部１０によって取得された複数の検査データの中から基準検査データが特定される（Ｓ１６）。
【００７４】
そして、基準検査データおよび基準検査データ以外の非基準検査データが類似度算出部１２に入力され、類似度算出部１２は、入力された基準検査データおよび非基準検査データに基づいて、基準検査データに対する各非基準検査データの変動の類似度を算出する（Ｓ１８）。
【００７５】
そして、グラフ作成部１３において、同一の座標軸上に基準検査データに基づく基準グラフと、複数の非基準検査データに基づく非基準グラフとがプロットされるが、このとき、グラフ作成部１３は、グラフ表示領域設定部１４に設定されている上限数と各非基準グラフの類似度とに基づいて表示対象の非基準グラフを選択する（Ｓ２０）。なお、ここでは表示対象の非基準グラフの上限数は２つとし、表示モード設定部１６には、高類似度優先表示モードが設定されているものとする。すなわち、類似度が高いものから順に２つの非基準グラフが、表示対象の非基準グラフとして選択される。
【００７６】
グラフ作成部１３は、上述したように表示対象の２つ非基準グラフを選択した後、この２つの非基準グラフを異なる視認性のグラフとする。具体的には、上述したように表示モード設定部１６には、高類似度優先表示モードが設定されているので、類似度が低い非基準グラフほど視認性が低いグラフとしてプロットされる。ここでは、選択された２つの非基準グラフのうち類似度が高い方の非基準グラフを実線とし、類似度が低い方の非基準グラフを相対的に視認性が低い点線とする（Ｓ２２）。なお、グラフ作成部１３は、基準グラフは実線とする。上記のようにして同一の座標軸上にプロットされた基準グラフと非基準グラフの一例を図１０に示す。
【００７７】
そして、表示制御部１５は、モニタ５に表示されたウインドウ画面内におけるグラフリスト表示領域Ｒ１〜Ｒ４のいずれか１つに、グラフ作成部１３において同一座標軸上にプロットされた基準グラフおよび非基準グラフを表示する（Ｓ２４）。
【００７８】
上記実施形態の電子カルテ表示システムによれば、複数のグラフを生成するための検査データを取得し、その取得した複数の検査データの中から基準検査データを特定し、複数の検査データのうちの基準検査データ以外の少なくとも２つの非基準検査データの基準検査データに対する変動の類似度を算出し、基準グラフと少なくとも２つの非基準グラフとを同一の座標軸上に表示させる際、類似度に応じて少なくとも２つの非基準グラフを異なる視認性で表示させるようにしたので、たとえば、基準グラフに類似してない非基準グラフの視認性を低くしたり、基準グラフに類似している非基準グラフの視認性を低くしたりすることができるので、一部の非基準グラフの視認性を低くすることによってユーザが見易い表示にすることができる。
【００７９】
また、基準グラフに類似している非基準グラフの視認性を高くすることによって同じような傾向のグラフを比較して診断を行うことができる。また、基準グラフに類似していない非基準グラフの視認性を高くすることによって、ユーザが予測していなかった検査結果の傾向にも気付くことができ、たとえば合併症の発見などにつなげることができる。
【００８０】
なお、上記説明では、所定の電子カルテに記録された疾患の表示セットデータ構造に紐付けされた検査項目の検査データをグラフ表示する際の作用について説明したが、本実施形態の電子カルテ表示システムによって表示されるグラフは、これに限るものではない。
【００８１】
たとえば、上述したウインドウ画面内におけるクエリ―入力部ＱＩにおいて、検査データの検索条件として所定の疾患名を入力し、検査データ取得部１０が、クエリー入力部ＱＩにおいて入力された疾患名が記録された全ての電子カルテの全ての患者ＩＤに関連する検査データを全て検索して取得し、その取得した検査データに基づいて、上記と同様の処理を行って基準グラフおよび複数の非基準グラフを作成し、同一の座標軸上にプロットして表示するようにしてもよい。また、このとき、さらに患者ＩＤ毎に記録されている全ての検査データを同一の座標軸上にプロットして表示するようにしてもよい。このような表示とすることによって、現在の患者の治療経過を他の患者の過去症例と比較することができる。
【００８２】
また、検査データ取得部１０が、所定の患者について、異なる時期に同一の検査を行った際の検査データを検索して取得し、これを表示するようにしてもよい。図１１は、同一の検査を異なる時期に３回行った検査データを同一の座標軸上にグラフとして表示した例である。なお、各検査データは、薬剤投与後の数時間に数回の成分検査を行った結果を示すものである。図１１に示すようなグラフを表示することによって治療の経過観察を行うことができる。なお、図１１に示す検査データについても、クエリ―入力部ＱＩにおいて検索条件を入力することによって取得することができる。
【００８３】
また、図１０および図１１に示したグラフは、主軸（横軸）が時間の検査データのグラフであるが、検査データ取得部１０によって取得される検査データは、このような主軸が時間となる検査データに限定されるものではない。たとえば、図１２に示すように、インスリンの投薬量を主軸とし、その投薬量に対する血中のインスリン量、中性脂肪、血糖値、γ−ＧＴＰ、ＨＤＬコレステロールなどの検査結果を副軸としてもよい。なお、図１２においては基準グラフである血中インスリン量も含めて全て実線で示しているが、実際は、非基準グラフについては、上記と同様に、類似度に応じて視認性が異なるグラフとして表示されるものとする。
【００８４】
また、図１３に示すように、年齢を主軸にして、同じ疾患で年齢の異なる複数の患者の各検査データ（中性脂肪、血糖値、体重など）を副軸にしてグラフ表示するようにしてもよい。このようなグラフ表示を行うことによって数年単位での長期的な治療によって得られる治療結果をシミュレーションすることができる。また、年齢別での効果も把握することができる。なお、図１３においては基準グラフである血糖値も含めて全て実線で示しているが、実際は、非基準グラフについては、上記と同様に、類似度に応じて視認性が異なるグラフとして表示されるものとする。
【００８５】
なお、図１２および図１３に示すような検査データも、クエリ―入力部ＱＩにおいて種々の検索条件を入力することによって取得される。
【符号の説明】
【００８６】
１     グラフ表示制御装置
２     電子カルテデータベース
３     電子カルテデータ入力装置
４     入力装置
５     モニタ
１０   検査データ取得部
１１   基準検査データ特定部
１２   類似度算出部
１３   グラフ作成部
１４   グラフ表示領域設定部
１５   表示制御部
１６   表示モード設定部
２０   電子カルテテーブル
２１   検査データテーブル
２２   患者テーブル
【図１】
0005613213.tif 000002
【図２】
0005613213.tif 000003
【図３】
0005613213.tif 000004
【図４】
0005613213.tif 000005
【図５】
0005613213.tif 000006
【図６】
0005613213.tif 000007
【図７】
0005613213.tif 000008
【図８】
0005613213.tif 000009
【図９】
0005613213.tif 000010
【図１０】
0005613213.tif 000011
【図１１】
0005613213.tif 000012
【図１２】
0005613213.tif 000013
【図１３】
0005613213.tif 000014